(57)【要約】【課題】遊技台（遊技機）が離席中なのか、空き台なのかの区別の判断を容易に行う。【解決手段】本発明の一実施形態に係る表示装置は、所定の一領域に対する遊技者の着席を検知する検知手段と、着席の状況を表示する表示手段と、着席が検知されなくなったときから一定の間、時間を計時する計時手段と、計時手段による計時が開始された時から一定の間に検知手段により着席が検知されない場合は、開始の時から一定の間が経過するまで着席の状況として離席である旨を表示手段に表示させ、計時が開始された時から一定の間に検知手段により着席が検知された場合には、開始の時から検知された時まで離席である旨を前記表示手段に表示させる手段とを備える。【選択図】図５
2017086463.tif 000002
【特許請求の範囲】
【請求項１】
所定の一領域に対する遊技者の着席を検知する検知手段と、
前記着席の状況を表示する表示手段と、
前記着席が検知されなくなったときから一定の間、時間を計時する計時手段と、
前記計時手段による計時が開始された時から前記一定の間に前記検知手段により前記着席が検知されない場合は、前記開始の時から前記一定の間が経過するまで前記着席の状況として離席である旨を前記表示手段に表示させ、前記計時が開始された時から前記一定の間に前記検知手段により前記着席が検知された場合には、前記開始の時から前記検知された時まで前記離席である旨を前記表示手段に表示させる手段と、
を備えることを特徴とする表示装置。
【請求項２】
前記表示させる手段は、前記開始の時から前記一定の間が経過した後は、前記着席の状況として空席である旨を前記表示手段に表示させ、かつ前記検知手段による、前記表示装置の起動時から最初の前記着席が検知されるまで、前記空席である旨を前記表示手段に表示させることを特徴とする請求項１に記載の表示装置。
【請求項３】
前記表示させる手段は、前記検知手段により前記着席が検知されている間は、前記着席の状況として着席である旨を前記表示手段に表示させることを特徴とする請求項１又は２に記載の表示装置。
【発明の詳細な説明】
【技術分野】
【０００１】
本発明は、表示装置に関する。
【背景技術】
【０００２】
遊技店等において遊技者が遊技を行う際、例えば、遊技台（遊技機）に遊技球やコインが残っていたり前遊技者の私物が置かれていたりすると、その遊技台は空き台であるのかどうかを判断するのが困難な場合がある。
【０００３】
このような場合、遊技者は遊技店等のスタッフに遊技を行いたい旨を告げる。スタッフは、前遊技者の呼び出しを行い、一定時間以内に前遊技者が席に戻らない場合、遊技台を空き台として開放する旨のアナウンスを行う。
【０００４】
このような状況は、遊技店にとってもアナウンス等の手間を要するだけではなく、遊技を希望する遊技者がいるにも関わらず遊技台を空き台として放置することになるため、遊技台の稼働率を低下させてしまう。
【０００５】
これに関する技術として、例えば、特許文献１には、遊技台群の端部側通路を歩いている入場者から見て各遊技台に関する情報表示を容易に視認できるような遊技台用の椅子に取り付ける表示具が記載されている。これにより、表示板の表示面に、例えば、遊技台が空いていることを表示する空席表示をした場合には、空いている遊技台を探している入場者は、短時間に空いている遊技台を見つけてこの遊技台にて遊技を行うことができることから、遊技台の稼働率を向上させることができる。
【先行技術文献】
【特許文献】
【０００６】
【特許文献１】特開２００９−０３９３２８号公報
【発明の概要】
【発明が解決しようとする課題】
【０００７】
特許文献１記載の発明においては、遊技台が空いていることを表示する空席表示を行うため、空き台であることが確実な場合はよい。しかしながら、遊技者は一時的に離席する場合もあるため、離席中なのか、空き台なのか、の区別をつけるのが難しいという問題がある。
【０００８】
本発明は、上記の点に鑑み提案されたものであり、遊技台（遊技機）が離席中なのか、空き台なのかの区別の判断を容易にすることを目的とする。
【課題を解決するための手段】
【０００９】
本発明の一態様に係る表示装置は、所定の一領域に対する遊技者の着席を検知する検知手段と、前記着席の状況を表示する表示手段と、前記着席が検知されなくなったときから一定の間、時間を計時する計時手段と、前記計時手段による計時が開始された時から前記一定の間に前記検知手段により前記着席が検知されない場合は、前記開始の時から前記一定の間が経過するまで前記着席の状況として離席である旨を前記表示手段に表示させ、前記計時が開始された時から前記一定の間に前記検知手段により前記着席が検知された場合には、前記開始の時から前記検知された時まで前記離席である旨を前記表示手段に表示させる手段とを備える。
【発明の効果】
【００１０】
本発明の実施形態によれば、一つの側面では、遊技台（遊技機）が離席中なのか、空き台なのかの区別の判断を容易に行うことができる。
【図面の簡単な説明】
【００１１】
【図１】本発明の一実施形態に係る椅子の外観の模式図である。
【図２】本発明の一実施形態に係る表示装置の制御系構成を示す図である。
【図３】本発明の一実施形態に係る表示装置の動作例を示す図である。
【図４】本発明の一実施形態に係る表示装置の処理動作を示すフローチャート図である。
【図５】本発明の一実施形態に係る椅子の設置例を示す図である。
【図６】本発明の一実施形態に係る椅子カバーの外観図である。
【図７】本発明の一実施形態に係る椅子及び椅子カバーの外観の模式図である。
【発明を実施するための形態】
【００１２】
以下、図面を参照して、本発明を実施するための形態について説明する。
【００１３】
[実施形態１]
＜構成＞
（椅子の外観構成）
本発明の一実施形態に係る遊技機用の椅子について説明する。椅子は、遊技店等において用いられる椅子である。本遊技機用の椅子は、例えば、弾球遊技機（パチンコ機とも呼ぶ）、回胴式遊技機（パチスロ機とも呼ぶ）又はアーケードゲーム機など各種の遊技機の前にそれぞれ設置されており、遊技者は各々の椅子に着席して遊技機を用いた遊技を行う。
【００１４】
図１は、本発明の一実施形態に係る椅子の外観の模式図である。図１に示されるように、椅子１は、表示装置１０及びセンサ２０を有している。
【００１５】
表示装置１０は、遊技中、離席中、空席等の状態を示すための時間を表示するディスプレイである。表示装置１０は、島通路で遊技台を探している遊技者や遊技店スタッフから視認しやすいよう、例えば椅子背もたれ外柄などの位置に配置される。
【００１６】
センサ２０は、例えば人感センサなど、遊技者の着席を検知する検知器である。椅子１の着席スペース（一領域）に遊技者が着席するとこれを検知する。なお、センサ２０は、遊技者の着席を検知すればよく、例えば、遊技者の着席時圧力を検知する圧力センサ（重さセンサ）などを用いて座部に設置してもよい。
【００１７】
（表示装置の制御系構成）
図２は、本発明の一実施形態に係る表示装置の制御系構成を示す図である。図２に示されるように、表示装置１０は、主な機能として、計時部１０ａ、表示制御部１０ｂ、及びディスプレイ部１０ｃを有する。
【００１８】
計時部１０ａは、センサ２０からの検知信号に基づいて、遊技者の着席が検知されている間、時間を計時する。また、着席が検知されなくなったときから一定の時間（例えば、２０分間）も計時する。なお、計時される時間は累積時間であるが、着席が検知されなくなったときから一定の時間（例えば、２０分間）が経過した場合、累積時間は０にリセットされる。
【００１９】
表示制御部１０ｂは、計時部１０ａにより計時された時間を、着席中、離席中、空席を示すそれぞれの色を用いて、ディスプレイ部１０ｃに表示させる。本実施形態の場合、着席中を示す場合は「赤色」、離席中を示す場合は「緑色」、空席を示す場合は「青色」を用いて、計時部１０ａにより計時された時間を表示させる。
【００２０】
ディスプレイ部１０ｃは、表示制御部１０ｂによる制御の下、時間等の情報を色表示するカラーディスプレイである。
【００２１】
なお、計時部１０ａ及び表示制御部１０ｂは、実際には表示装置１０が有するＣＰＵ（非図示）が実行するプログラムにより実現されるものである。
【００２２】
＜表示装置の動作例＞
図３は、本発明の一実施形態に係る表示装置の動作例を示す図である。図３を参照しながら、椅子１（表示装置１０）における時間の表示態様についてフェーズ毎に説明する。なお、図中において、１目盛り当り１０分とする。
【００２３】
（１）例えば、遊技店の開店直後など、椅子１が空席の場合、センサ２０により遊技者の着席が検知されない。この場合、表示装置１０には、空席を示す青色で、時間（例えば、「００：００：００」）が表示される。
【００２４】
（２）次に、遊技者が着席した場合、センサ２０により遊技者の着席が検知される。この場合、表示装置１０は、遊技時間の計時（カウント）を開始し、表示装置１０には、着席中を示す赤色で、時間（例えば、「００：００：０１」、「００：００：０２」、「００：００：０３」・・・）が表示される。
【００２５】
（３）次に、遊技者が離席した場合、センサ２０によりこれまで検知されていた遊技者の着席が検知されなくなる（途切れる）。この場合、表示装置１０は、遊技時間の計時（カウント）を継続しつつ、表示装置１０には、離席中を示す緑色で、時間（例えば、「００：３０：０１」、「００：３０：０２」、「００：３０：０３」・・・）が表示される。
【００２６】
（４）次に、遊技者が一定の時間内に（例えば、２０分以内に）、再び着席した場合を想定する。この場合、センサ２０により遊技者の着席が一定の時間内に再び検知される。表示装置１０は、遊技時間の計時（カウント）を継続しており、表示装置１０には、着席中を示す赤色で、時間（例えば、「００：４０：０１」、「００：４０：０２」、「００：４０：０３」・・・）が表示される。
【００２７】
（５）次に、再び遊技者が離席した場合、センサ２０によりこれまで検知されていた遊技者の着席が検知されなくなる（途切れる）。この場合、表示装置１０は、遊技時間の計時（カウント）を継続しつつ、表示装置１０には、離席中を示す緑色で、時間（例えば、「００：５０：０１」、「００：５０：０２」、「００：５０：０３」・・・）が表示される。
【００２８】
（６）次に、遊技者が一定の時間内に（例えば、２０分以内に）、再び着席しなかった場合を想定する。この場合、センサ２０により遊技者の着席が検知されないまま、一定の時間が経過する。表示装置１０は、遊技時間の計時（カウント）をリセットし、表示装置１０には、空席中を示す青色で、時間（例えば、「００：００：００」）が表示される。
【００２９】
（７）次に、新たな遊技者が着席した場合、センサ２０により遊技者の着席が検知される。この場合、表示装置１０は、遊技時間の計時（カウント）を開始し、表示装置１０には、着席中を示す赤色で、時間（例えば、「００：００：０１」、「００：００：０２」、「００：００：０３」・・・）が表示される。
【００３０】
図４は、本発明の一実施形態に係る表示装置の処理動作を示すフローチャート図である。本フローは、表示装置１０の電源ＯＮ等により開始され、電源ＯＦＦ等により終了する。
【００３１】
Ｓ１：まず、表示制御部１０ｂは、ディスプレイ部１０ｃを制御し、計時部１０ａにより計時された時間を青色表示させる。これにより、遊技機（遊技台）が空席であることを示す。なお、このときディスプレイ部１０ｃに表示される時間は、「００：００：００」である。
【００３２】
Ｓ２：次に、表示装置１０は、センサ２０から検知信号を受信したか否かを判定する。センサ２０は、遊技者の着席を検知した場合、表示装置１０に検知信号を送信する。検知信号を受信した場合、Ｓ３へ進む。
【００３３】
Ｓ３：表示制御部１０ｂは、ディスプレイ部１０ｃを制御し、計時部１０ａにより計時された時間を赤色表示させる。これにより、遊技機が着席中であることを示す。
【００３４】
Ｓ４：計時部１０ａは、遊技時間の計時（カウント）を開始する。これにより、ディスプレイ部１０ｃには、遊技者が遊技を行った遊技時間が表示される。
【００３５】
Ｓ５：次に、表示装置１０は、センサ２０からの検知信号が途切れたかを判定する。検知信号が受信される間、遊技者が着席中であることを意味する。一方、検知信号が途切れた場合、遊技者が離席したことを意味する。
【００３６】
Ｓ６：表示制御部１０ｂは、検知信号が途切れた場合、ディスプレイ部１０ｃを制御し、計時部１０ａにより計時された時間を緑色表示させる。これにより、遊技者が離席中、即ち遊技台は空席ではないことを示す。このため、このときディスプレイ部１０ｃには、遊技者が遊技を行った遊技時間が継続して計時されながら表示される。
【００３７】
Ｓ７：また、計時部１０ａは、離席時間の計時（カウント）を開始する。
【００３８】
Ｓ８：次に、表示装置１０は、離席時間が一定時間を経過したか否かを判定する。例えば、一定時間として２０分間が付与されている場合、表示装置１０は、離席時間が２０分間を経過したか否かを判定する。
【００３９】
Ｓ９：計時部１０ａは、離席時間が一定時間を経過した場合、遊技時間及び離席時間の計時（カウント）をリセットする。遊技者が一定時間を経過しても席に戻らなかったことから、遊技を終了したとみなすためである。
【００４０】
Ｓ１０：一方、表示装置１０は、離席時間が一定時間を経過していない場合、センサ２０から検知信号を受信したか否かを判定する。検知信号を受信した場合、遊技者が離席してから一定時間以内に再び着席したことを意味する。
【００４１】
Ｓ１１：計時部１０ａは、一定時間以内に検知信号を受信したため、離席時間の計時（カウント）をリセットする。なお、遊技は継続されているため、計時部１０ａは、遊技時間をリセットせずに継続して計時する。
【００４２】
Ｓ１２：表示制御部１０ｂは、ディスプレイ部１０ｃを制御し、計時部１０ａにより計時された時間を赤色表示させる。これにより、再び遊技者が着席中であることを示す。
【００４３】
以上、表示装置１０は、遊技者が椅子１に着席中（遊技中）の場合にはその遊技時間を表示するとともに、遊技者が離席しても一定時間が経過するまでの間は、遊技時間を継続して計時（カウント）する。これにより、遊技者が椅子１に着席していなくても、表示装置１０には、遊技時間が計時され表示されるので、他の遊技者は当該遊技機が空き台ではないこと（依然として遊技中であること）を容易に判断することができる。
【００４４】
さらに、遊技者の離席中、表示装置１０は離席中を示す緑色で遊技時間を表示するため、他の遊技者は当該遊技機が空き台ではないことを表示色によっても容易に判断することができる。
【００４５】
また、表示装置１０は、遊技者が離席してから一定時間が経過した場合、遊技時間をリセットする。これにより、表示装置１０には、遊技時間ゼロ（「００：００：００」）が表示されるので、他の遊技者は当該遊技機が空き台であることを容易に判断することができる。
【００４６】
さらに、遊技機が空席の場合、表示装置１０は空席を示す青色で遊技時間ゼロを表示するため、他の遊技者は当該遊技機が空き台であることを表示色によっても容易に判断することができる。
【００４７】
なお、表示装置１０には離席中を示す緑色で遊技時間が表示されている場合でも、一定時間が経過すると、表示装置１０には遊技時間ゼロが青色で表示されて、遊技機は空席扱いとなる。このため、遊技希望者は、遊技時間ゼロと青色表示されるまで暫く待機し、空き台として空席開放された場合、遊技を行うことが可能である。
【００４８】
また、遊技店等のスタッフは、このような状況においてアナウンス等の手間を要する必要はなく、遊技を希望する遊技者に対して空き台を効率的に提供し、遊技機の稼働率の低下を防止することが可能である。
【００４９】
＜椅子の設置例＞
図５は、本発明の一実施形態に係る椅子の設置例を示す図である。図５に示されるように、一例として、１００番台、１０１番台、１０２番台において、遊技機用の椅子１が設置されている。
【００５０】
まず、１００番台において椅子１の表示装置１０には、「００：００：００」との時間が青色表示されているものとする。よってこの場合、他の遊技者やスタッフは１００番台が現在空き台であることを容易に判断することができる。
【００５１】
次に、１０１番台において椅子１の表示装置１０には、「０２：５０：１０」との時間が赤色表示されているものとする。よってこの場合、他の遊技者やスタッフは１０２番台が現在着席中（遊技中）であることを容易に判断することができる。
【００５２】
次に、１０２番台において椅子１の表示装置１０には、「０１：０８：４８」との時間が緑色表示されているものとする。よってこの場合、他の遊技者やスタッフは１０３番台が現在離席中、即ち空き台ではないことを容易に判断することができる。
【００５３】
[実施形態２]
本発明の一実施形態に係る椅子カバーについて説明する。椅子カバーは、遊技店等において用いられる遊技機用の椅子カバーである。椅子カバーは、椅子の背もたれ部分に脱着可能に取り付けられる。
【００５４】
図６は、本発明の一実施形態に係る椅子カバーの外観図である。図６に示されるように、椅子カバー２は、センサ２０及び表示装置１０を有している。
【００５５】
図７は、本発明の一実施形態に係る椅子及び椅子カバーの外観の模式図である。図７に示されるように、椅子カバー２は、椅子３の背もたれ部分に覆い被せるようにして装着される。
【００５６】
これにより、遊技店等において既設備の椅子に対して、本実施形態に係る椅子カバー２を装着することで、上述の椅子１と同様の遊技機用の椅子を、低コストで容易に実現することが可能である。
【００５７】
＜総括＞
以上、本発明の一実施形態によれば、遊技台（遊技機）が離席中なのか、空き台なのかの区別の判断を容易にすることが可能である。
【００５８】
また、本発明は、遊技台（遊技機）が離席中なのか、空き台なのかという状況を伝えることが本質であり、状況を表示する手段としては色に限られない。
【００５９】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【符号の説明】
【００６０】
１          椅子
１０        表示装置
１０ａ      計時部
１０ｂ      表示制御部
１０ｃ      ディスプレイ部
２０        センサ
【図１】
2017086463.tif 000003
【図２】
2017086463.tif 000004
【図３】
2017086463.tif 000005
【図４】
2017086463.tif 000006
【図５】
2017086463.tif 000007
【図６】
2017086463.tif 000008
【図７】
2017086463.tif 000009